(57)【要約】【課題】画像データ送信処理が他の処理と共に実行される場合に、ユーザの希望通りの設定をより少ない操作で容易かつ柔軟に行うこと。【解決手段】入力・表示部１４が、画像データの送信処理の送信設定の入力を受け付け、制御部１５が、画像データの送信処理の処理態様を予め特定する送信設定の入力を入力・表示部１４が受け付けていない場合に、画像データの送信処理と共に行われる他の処理の設定情報に基づいて送信設定を行い、通信部１７が、送信処理の処理態様を予め特定した送信設定の入力を入力・表示部１４が受け付けた場合に、その送信設定に従い画像データの送信処理を実行し、送信処理の処理態様を予め特定する送信設定の入力を入力・表示部１４が受け付けていない場合に、制御部１５によりなされた送信設定に従って画像データの送信処理を実行する。【選択図】図１
2013258443.tif 000002
【特許請求の範囲】
【請求項１】
画像データの送信処理を実行する画像データ処理装置であって、
前記送信処理の送信設定の入力を受け付ける入力部と、
該入力部が前記送信処理の処理態様を予め特定する送信設定の入力を受け付けていない場合に、前記画像データの送信処理と共に行われる他の処理の設定情報に基づいて前記送信設定を行う制御部と、
前記入力部が前記送信処理の処理態様を予め特定した送信設定の入力を受け付けた場合に、該送信設定に従い前記画像データの送信処理を実行し、前記入力部が前記送信処理の処理態様を予め特定する送信設定の入力を受け付けていない場合に、前記制御部によりなされた送信設定に従い前記画像データの送信処理を実行する通信部と、
を備えることを特徴とする画像データ処理装置。
【請求項２】
前記他の処理は、前記画像データに基づいて画像を形成する画像形成処理であることを特徴とする請求項１に記載の画像データ処理装置。
【請求項３】
前記入力部が前記送信処理の処理態様を予め特定する送信設定の入力を受け付けていない場合に、該入力を受け付けていないことを示す情報を表示する表示部をさらに備えたことを特徴とする請求項１または２のいずれか１項に記載の画像データ処理装置。
【請求項４】
前記画像データの送信処理の送信設定の入力は、該送信処理の宛先の設定とともに、宛先ごとになされることを特徴とする請求項１〜３のいずれか１項に記載の画像データ処理装置。
【請求項５】
前記画像データの送信処理の送信設定は、該画像データのカラーモードの設定であることを特徴とする請求項１〜４のいずれか１項に記載の画像データ処理装置。
【発明の詳細な説明】
【技術分野】
【０００１】
本発明は、画像データ処理装置に関し、特に、画像データを送信する画像データ処理装置に関する。
【背景技術】
【０００２】
近年、コピーやスキャンなどの処理に加え、画像データを他の装置に送信する送信処理を実行することが可能な複合機（Multifunction Peripheral）などの画像形成装置が利用されている。
【０００３】
スキャン処理を実行し、その後スキャンにより得られた画像データを送信する場合、従来の画像処理装置では、スキャン処理の設定と画像データの送信処理の設定とを別々に行う必要があり、ユーザは煩雑な作業を行うことを強いられていた。
【０００４】
このような問題を解決するため、例えば特許文献１の従来技術には、スキャン処理の設定情報とスキャン処理により得られた画像データの送信先の情報とに対応付けられたスキャン送信ボタンをユーザーインターフェースに押下可能に表示し、スキャン送信ボタンが押下された場合にその設定情報および送信先の情報に基づいて、スキャン処理および画像データの送信処理を行う情報処理装置が開示されている。
【先行技術文献】
【特許文献】
【０００５】
【特許文献１】特開２０１０−２１８９６号公報
【発明の概要】
【発明が解決しようとする課題】
【０００６】
上述した特許文献１の従来技術は、スキャン処理と画像データの送信処理の２つの処理を連続して行うものであるが、それらの処理についての設定を柔軟に行うことを可能とするものではない。例えば、カラーモードなどの設定に関して、ユーザは、スキャン処理と画像データの送信処理とで異なる設定を行いたいと考える場合もあるが、スキャン処理の設定に合わせて画像データの送信処理の設定を行いたいと考える場合もある。このような場合、ユーザの希望通りの設定をより少ない操作で容易かつ柔軟に行えるようにすることが望まれるが、特許文献１の従来技術はそれを実現するためのものではない。
【０００７】
本発明は、上記実情に鑑み、画像データ送信処理が他の処理と共に実行される場合に、ユーザの希望通りの設定をより少ない操作で容易かつ柔軟に行うことを可能とする画像データ処理装置を提供することを目的とする。
【課題を解決するための手段】
【０００８】
上記課題を解決する為に、本発明の第１の技術手段は、画像データの送信処理を実行する画像データ処理装置であって、前記送信処理の送信設定の入力を受け付ける入力部と、該入力部が前記送信処理の処理態様を予め特定する送信設定の入力を受け付けていない場合に、前記画像データの送信処理と共に行われる他の処理の設定情報に基づいて前記送信設定を行う制御部と、前記入力部が前記送信処理の処理態様を予め特定した送信設定の入力を受け付けた場合に、該送信設定に従い前記画像データの送信処理を実行し、前記入力部が前記送信処理の処理態様を予め特定する送信設定の入力を受け付けていない場合に、前記制御部によりなされた送信設定に従い前記画像データの送信処理を実行する通信部と、を備えることを特徴とする。
【０００９】
本発明の第２の技術手段は、第１の技術手段において、前記他の処理は、前記画像データに基づいて画像を形成する画像形成処理であることを特徴とする。
【００１０】
本発明の第３の技術手段は、第１または第２の技術手段において、前記入力部が前記送信処理の処理態様を予め特定する送信設定の入力を受け付けていない場合に、該入力を受け付けていないことを示す情報を表示する表示部をさらに備えたことを特徴とする。
【００１１】
本発明の第４の技術手段は、第１〜第３のいずれかの技術手段において、前記画像データの送信処理の送信設定の入力は、該送信処理の宛先の設定とともに、宛先ごとになされることを特徴とする。
【００１２】
本発明の第５の技術手段は、第１〜第４のいずれかの技術手段において、前記画像データの送信処理の送信設定は、該画像データのカラーモードの設定であることを特徴とする。
【発明の効果】
【００１３】
本発明によれば、送信処理の送信設定の入力を受け付ける入力部が送信処理の処理態様を予め特定する送信設定の入力を受け付けていない場合に、制御部が、画像データの送信処理と共に行われる他の処理の設定情報に基づいて送信設定を行い、入力部が送信処理の処理態様を予め特定した送信設定の入力を受け付けた場合に、通信部が、その送信設定に従って画像データの送信処理を実行し、入力部が送信処理の処理態様を予め特定する送信設定の入力を受け付けていない場合に、通信部が、制御部によりなされた送信設定に従って画像データの送信処理を実行することとしたので、画像データ送信処理が他の処理と共に実行される場合に、ユーザの希望通りの設定をより少ない操作で容易かつ柔軟に行うことができるようになる。
【図面の簡単な説明】
【００１４】
【図１】本発明の実施形態に係る画像データ処理装置の構成の一例を示す図である。
【図２】画像データ送信処理の設定画面の一例を示す図である。
【図３】カラーモード設定画面の一例を示す図である。
【図４】コピー処理の実行時に表示される設定画面の一例を示す図である。
【図５】宛先の指定をユーザから受け付ける宛先指定受付画面の一例を示す図である。
【図６】本発明の実施形態に係るカラーモード設定登録処理の処理手順の一例を示すフローチャートである。
【図７】本発明の実施形態に係る画像データ送信処理の処理手順の一例を示すフローチャートである。
【発明を実施するための形態】
【００１５】
以下、本発明の実施形態について図面を参照して詳細に説明する。図１は、本発明の実施形態に係る画像データ処理装置１０の構成の一例を示す図である。画像データ処理装置１０は、印刷機能やコピー機能、スキャン機能などの機能の他、画像データを送信する機能などを有する複合機（Multifunction Peripheral）などの装置である。画像データ処理装置１０は、画像読取部１１、画像処理部１２、画像形成部１３、入力・表示部１４、制御部１５、記憶部１６、通信部１７を備える。
【００１６】
画像読取部１１は、原稿台にセットされた原稿の画像をスキャンする処理部である。画像処理部１２は、種々の画像処理を画像に対して行う処理部である。画像形成部１３は、印刷処理やコピー処理などの画像を形成する処理を行う処理部である。
【００１７】
入力・表示部１４は、画像データ処理装置１０の管理者や一般ユーザから各種処理の設定情報などの入力を受け付けるとともに、種々の情報を表示するタッチパネルなどの入力・表示デバイスである。
【００１８】
図２は、画像データ送信処理の設定画面２０の一例を示す図である。この例では、画像データを電子メールで送信する場合について示してあるが、画像データをファクシミリで送信する場合や、ネットワーク通信により送信する場合も同様に本発明を適用することができる。
【００１９】
この設定画面２０には、登録する宛先の入力をユーザから受け付ける宛先入力欄２１や、カラーモードの設定画面を表示させるカラーモード設定画面表示ボタン２２などが表示される。カラーモードは、宛先ごとに設定することができる。これにより、宛先ごとに異なるカラーモードで画像データを送信したい場合に、それを容易に実現することができる。
【００２０】
図３は、カラーモード設定画面３０の一例を示す図である。カラーモード設定画面３０には、非設定ボタン３１、自動設定ボタン３２、フルカラー選択ボタン３３、グレースケール選択ボタン３４、白黒２値選択ボタン３５が表示される。
【００２１】
非設定ボタン３１は、送信される画像データのカラーモード（処理態様）を予め特定しない場合に押下されるボタンである。カラーモードを予め特定しない場合、画像データの送信時に、カラーモードを設定するよう要求がなされるが、コピー処理と画像データの送信処理とを同時に行う場合などには、後に詳しく説明するように、コピー処理のカラーモードの設定情報を用いて、画像データの送信処理のカラーモードの設定が行われる。
【００２２】
自動設定ボタン３２は、カラーモードを自動設定する場合に押下されるボタンである。この場合、カラーモードはスキャン処理の結果に応じて選択される。具体的には、スキャンされた原稿画像の彩度が所定値以上であればカラーに、所定値未満であればモノクロにカラーモードが設定される。
【００２３】
フルカラー選択ボタン３３、グレースケール選択ボタン３４、白黒２値選択ボタン３５はそれぞれ、フルカラー、グレースケール、白黒２値にカラーモードを設定する場合に押下されるボタンである。
【００２４】
また、上記ボタン以外にも、メインジョブのカラーモードの設定に従うことを指示するボタンや、デフォルトの設定に従うことを指示するボタンをカラーモード設定画面３０に設けることとしてもよい。
【００２５】
例えば、コピー処理がメインジョブとして実行され、コピー処理と共に画像データ送信処理がサブジョブとして実行される場合、メインジョブのカラーモードの設定に従うことを指示するボタンが押下されると、画像データ送信処理のカラーモードはコピー処理に対して設定されたカラーモードと同じモードに設定される。
【００２６】
また、デフォルトの設定に従うことを指示するボタンが押下されると、デフォルトで設定されているモードにカラーモードが設定される。デフォルトの設定には、「自動」や「フルカラー」、「グレースケール」、「白黒２値」などのカラーモードの他、「メインジョブのカラーモードの設定に従う」という設定が含まれてもよい。
【００２７】
上述したように、「メインジョブのカラーモードの設定に従う」という設定では、メインジョブと共に実行されるサブジョブのカラーモードは、メインジョブに対して設定されるカラーモードと同じモードに設定される。
【００２８】
また、非設定ボタン３１が押下された場合に、カラーモードをデフォルトの設定とすることとしてもよい。このデフォルトの設定には、「自動」や「フルカラー」、「グレースケール」、「白黒２値」などのカラーモードの他、上述した「メインジョブのカラーモードの設定に従う」という設定が含まれてもよい。
【００２９】
上記カラーモードの設定は、例えば、画像データ処理装置１０の管理者によってなされる。管理者が、カラーモードの設定方針を予め定めておき、その設定方針をユーザに周知させることで、ユーザの混乱を防止することができる。
【００３０】
また、ここでは、画像データを電子メールで送信する場合のカラーモードの設定を図３に示したカラーモード設定画面３０を用いて行うことについて説明したが、画像データ処理装置１０が行う各処理に共通するカラーモードの設定を受け付ける、図３に示すようなカラーモード設定画面３０が管理者用に提供されており、管理者がそのカラーモード設定画面３０を用いて各処理に共通するカラーモードの設定を行うこととしてもよい。画像データ処理装置１０で、ある処理が他の処理と共に実行される場合には、このようにして設定されたカラーモードに従ってそれらの処理が実行される。
【００３１】
図４は、コピー処理の実行時に表示されるコピー処理設定画面４０の一例を示す図である。コピー処理設定画面４０には、コピー処理のカラーモードの選択をユーザから受け付けるためのカラーモード選択受付ボタン４１や、コピー処理と共に原稿画像の画像データを送信することを指示するための指示ボタン４２が表示される。なお、コピー処理では、原稿台にセットされた原稿の画像をスキャンし、スキャンされた画像を印刷する処理が実行される。
【００３２】
カラーモード選択受付ボタン４１がユーザにより押下されると、自動、フルカラー、グレースケール、白黒２値の中からカラーモードの選択を受け付ける画面が新たに表示され、その画面においてカラーモードが選択される。
【００３３】
また、指示ボタン４２がユーザにより押下されると、入力・表示部１４は、宛先の指定をユーザから受け付ける画面を表示する。図５は、宛先の指定をユーザから受け付ける宛先指定受付画面５０の一例を示す図である。
【００３４】
この宛先指定受付画面５０においてユーザから宛先の指定を受け付け、宛先を確定する宛先確定ボタン５１がユーザにより押下されると、入力・表示部１４は、図４に示した設定画面４０を再度表示する。なお、宛先指定受付画面５０には、図２に示した設定画面２０において登録された宛先情報が表示される。
【００３５】
そして、設定画面４０において、白黒コピースタートボタン４３、または、カラーコピースタートボタン４４がユーザにより押下されると、白黒コピー、または、カラーコピーが画像形成部１３により実行される。それと共に、画像読取部１１により読み取られた原稿画像の画像データが、図５に示した宛先指定受付画面５０においてユーザにより指定された宛先に送信される。
【００３６】
制御部１５は、画像データ処理装置１０の各部を制御するＣＰＵ（Central Processing Unit）などの制御デバイスである。制御部１５は、ユーザが入力・表示部１４を操作して設定した情報に基づいて、画像読取部１１や画像処理部１２、画像形成部１３、通信部１７に各種の処理を実行させる。
【００３７】
特に、制御部１５は、後に説明する通信部１７により実行される画像データの送信処理について、その処理態様を予め特定する送信設定をユーザが行っていない場合に、画像データの送信処理と共に行われる処理の設定情報を用いることにより画像データの送信処理の設定を行う。
【００３８】
ここで、送信処理の処理態様とは、例えば、画像データのカラーモードや画像のサイズ、濃度、画質などの態様であるが、これらに限定されるものではない。また、画像データの送信処理と共に行われる処理とは、例えば、画像をスキャンして印刷するコピー処理や、パーソナルコンピュータなどから取得した画像データを印刷する印刷処理などの画像形成処理であるが、これらに限定されるものではない。
【００３９】
記憶部１６は、メモリやハードディスク装置などの記憶デバイスである。記憶部１６は、登録データ１６ａなどを記憶する。登録データ１６ａは、ユーザが入力・表示部１４を操作して登録した画像読取部１１、画像処理部１２、画像形成部１３、通信部１７が行う各種処理の設定データである。
【００４０】
通信部１７は、ネットワーク１８を介して他の装置と通信を行い、画像データなどの送受信を行う処理部である。通信部１７は、ユーザにより画像データの送信設定がなされた場合に、その送信設定に従って画像データの送信処理を実行し、送信設定がなされていない場合に、制御部１５により設定された送信設定に従って画像データの送信処理を実行する。
【００４１】
制御部１５により設定された送信設定とは、画像データの送信処理について、その処理態様を予め特定する送信設定をユーザが行っていない場合に、画像データの送信処理と共に行われる処理の設定情報を用いてなされた画像データの送信処理の設定のことである。
【００４２】
つぎに、画像データ送信処理に対するカラーモード設定登録処理の処理手順について説明する。図６は、本発明の実施形態に係るカラーモード設定登録処理の処理手順の一例を示すフローチャートである。このカラーモード設定登録処理は、画像データ処理装置１０がコピー処理などの処理の実行指示を受け付ける前に予め処理の設定情報を登録しておくために行われるものである。
【００４３】
まず、画像データ処理装置１０の入力・表示部１４は、図２に示した画像データ送信処理の設定画面２０を表示する（ステップＳ１０１）。そして、入力・表示部１４は、宛先入力欄２１において、画像データ送信処理の宛先情報の入力をユーザから受け付ける（ステップＳ１０２）。
【００４４】
その後、制御部１５は、画像データ送信処理の設定画面２０において、ユーザによりカラーモード設定画面表示ボタン２２が押下されたか否かを判定する（ステップＳ１０３）。
【００４５】
カラーモード設定画面表示ボタン２２が押下されていない場合（ステップＳ１０３においてＮＯの場合）、カラーモード設定画面表示ボタン２２が押下されるまで、ステップＳ１０３の処理が繰り返される。
【００４６】
カラーモード設定画面表示ボタン２２が押下された場合（ステップＳ１０３においてＹＥＳの場合）、入力・表示部１４は、カラーモード設定画面３０を表示する（ステップＳ１０４）。そして、制御部１５は、カラーモード設定画面３０に表示された設定ボタン３１〜３５のいずれかが押下されたか否かを判定する（ステップＳ１０５）。
【００４７】
設定ボタン３１〜３５のいずれも押下されていない場合（ステップＳ１０５においてＮＯの場合）、設定ボタン３１〜３５のいずれかが押下されるまで、ステップＳ１０５の処理が繰り返される。
【００４８】
設定ボタン３１〜３５のいずれかが押下された場合（ステップＳ１０５においてＹＥＳの場合）、制御部１５は、図３に示す非設定ボタン３１が押下されたか否かを判定する（ステップＳ１０６）。
【００４９】
押下された設定ボタンが非設定ボタン３１でない場合（ステップＳ１０６においてＮＯの場合）、制御部１５は、押下された設定ボタン３２〜３５に対応する設定情報を、ステップＳ１０２で入力を受け付けた宛先情報に対応付けて、記憶部１６に登録データ１６ａとして記憶する（ステップＳ１０７）。
【００５０】
具体的には、押下された設定ボタンが自動設定ボタン３２、フルカラー選択ボタン３３、グレースケール選択ボタン３４、白黒２値選択ボタン３５であった場合、それぞれカラーモードを自動選択、フルカラー、グレースケール、白黒２値に設定することを示す情報が登録データ１６ａとして記憶される。
【００５１】
その後、入力・表示部１４は、カラーモードの設定の登録完了メッセージを表示し（ステップＳ１０８）、このカラーモード設定登録処理が終了する。
【００５２】
ステップＳ１０６において、押下された設定ボタンが非設定ボタン３１である場合（ステップＳ１０６においてＹＥＳの場合）、制御部１５は、非設定ボタン３１が押下されたことを示す情報を、ステップＳ１０２で入力を受け付けた宛先情報に対応付けて、記憶部１６に登録データ１６ａとして記憶する（ステップＳ１０７）。
【００５３】
そして、入力・表示部１４は、カラーモードの送信設定がなされていないことを示すメッセージを表示する（ステップＳ１１０）。その後、このカラーモード設定登録処理は終了する。
【００５４】
なお、上記カラーモード設定登録処理では、ユーザがカラーモードの設定を行わない場合に、設定がなされていないことを示すメッセージを表示することとした。このような表示を行うこととしたのは、ユーザが意識的に設定を行わない場合、ユーザの思い通りの処理がなされず、ユーザが不満を抱く場合があるので、思い通りの処理がなされない可能性があることをユーザに認識させるためである。
【００５５】
つぎに、画像データ送信処理の処理手順について説明する。図７は、本発明の実施形態に係る画像データ送信処理の処理手順の一例を示すフローチャートである。ここでは、画像データ送信処理（サブジョブ）と共に実行される処理がコピー処理（メインジョブ）である場合について説明するが、画像データ送信処理と共に実行される処理はコピー処理に限定されず、画像データの印刷処理などの他の処理であってもよい。
【００５６】
まず、画像データ処理装置１０の入力・表示部１４は、ユーザからコピー処理のカラーモードの設定を受け付ける（ステップＳ２０１）。カラーモードの設定は、図４に示した設定画面４０のカラーモード選択受付ボタン４１を操作して行われる。続いて、入力・表示部１４は、画像データ送信処理の宛先の設定を受け付ける（ステップＳ２０２）。この設定は、図５に示した宛先指定受付画面５０においてなされる。
【００５７】
その後、制御部１５は、図４に示した設定画面４０において、白黒コピースタートボタン４３、または、カラーコピースタートボタン４４が押下されたか否かを判定する（ステップＳ２０３）。
【００５８】
白黒コピースタートボタン４３、または、カラーコピースタートボタン４４が押下されていない場合（ステップＳ２０３においてＮＯの場合）、いずれかが押下されるまでステップＳ２０３の判定処理が繰り返される。
【００５９】
白黒コピースタートボタン４３、または、カラーコピースタートボタン４４が押下された場合（ステップＳ２０３においてＹＥＳの場合）、制御部１５は、カラーモードが予め登録されていたか否かを判定する（ステップＳ２０４）。
【００６０】
具体的には、制御部１５は、ステップＳ２０２で設定された宛先に対応付けて、非設定ボタン３１が押下されたことを示す情報が、記憶部１６に登録データ１６ａとして記憶されているか否かを判定する。
【００６１】
非設定ボタン３１が押下されたことを示す情報が記憶されている場合、カラーモードは予め登録されていないことになる。また、非設定ボタン３１が押下されたことを示す情報が記憶されておらず、その代わりに、カラーモードを自動選択、フルカラー、グレースケール、白黒２値に設定することを示す情報が記憶されている場合、カラーモードが予め登録されていたことになる。
【００６２】
カラーモードが予め登録されていなかった場合（ステップＳ２０４においてＮＯの場合）、画像形成部１３は、ステップＳ２０１で設定を受け付けたカラーモードでコピー処理を実行し、通信部１７は、ステップＳ２０２で設定を受け付けた宛先に、コピー処理と同じカラーモード（すなわち、ステップＳ２０１で設定を受け付けたカラーモード）で画像データの送信処理を実行する（ステップＳ２０５）。
【００６３】
これにより、ユーザがそれぞれの処理を共通の設定で画像データ処理装置１０に実行させたい場合に、ユーザの設定作業にかかる負担を軽減することができる。ステップＳ２０５の処理の後、この画像データ送信処理は終了する。
【００６４】
カラーモードが予め登録されていた場合（ステップＳ２０４においてＹＥＳの場合）、画像形成部１３は、ステップＳ２０１で設定を受け付けたカラーモードでコピー処理を実行し、通信部１７は、ステップＳ２０２で設定を受け付けた宛先に、予め登録されたカラーモードで画像データの送信処理を実行する（ステップＳ２０６）。
【００６５】
これにより、ユーザがそれぞれの処理に対して異なる設定を行い、その設定により各処理を画像データ処理装置１０に実行させたい場合にそれを実現することができる。ステップＳ２０６の処理の後、この画像データ送信処理は終了する。
【００６６】
なお、ステップＳ２０１でカラーモードとしてフルカラーが選択された場合でも、ステップＳ２０３において白黒コピースタートボタン４３が押下された場合は、ステップＳ２０５またはステップＳ２０６において白黒コピーが実行される。この場合、ステップＳ２０５では、画像データ送信処理についても白黒画像のデータ送信処理が行われる。
【００６７】
また、本発明は上述した実施形態に限定されず、本発明の要旨を逸脱しない範囲内で各種の変形、修正が可能である。
【００６８】
例えば、上記実施形態では、図３に示した非設定ボタン３１が押下され、画像データの送信処理の処理態様を予め特定する送信設定の入力を行わないことが明示的に示された場合に、画像データの送信処理と共に行われる他の処理の設定情報に従って、画像データの送信処理の設定がなされることとした。
【００６９】
しかし、本発明はこれに限定されるものではなく、非設定ボタン３１が押下されなくとも、他の設定ボタン３２〜３５も押下されない場合には、上記処理態様を予め特定する送信設定の入力を行わないことが暗黙のうちに示されたものとして、画像データの送信処理と共に行われる他の処理の設定情報に従い、画像データの送信処理の設定を行うこととしてもよい。
【符号の説明】
【００７０】
１０…画像データ処理装置、１１…画像読取部、１２…画像処理部、１３…画像形成部、１４…入力・表示部、１５…制御部、１６…記憶部、１６ａ…登録データ、１７…通信部、２０…画像データ送信処理の設定画面、２１…宛先入力欄、２２…カラーモード設定画面表示ボタン、３０…カラーモード設定画面、３１…非設定ボタン、３２…自動設定ボタン、３３…フルカラー選択ボタン、３４…グレースケール選択ボタン、３５…白黒２値選択ボタン、４０…コピー処理設定画面、４１…カラーモード選択受付ボタン、４２…指示ボタン４２、５０…宛先指定受付画面、５１…宛先確定ボタン。
【図１】
2013258443.tif 000003
【図２】
2013258443.tif 000004
【図３】
2013258443.tif 000005
【図４】
2013258443.tif 000006
【図５】
2013258443.tif 000007
【図６】
2013258443.tif 000008
【図７】
2013258443.tif 000009